(57)【要約】多数の製品を輸送しかつ販売するための移動式販売機である。この移動式販売機は、製品を貯蔵するための貯蔵区画、製品を分配するための分配機構、及び駆動機構を備える。貯蔵区画は、これと共に動くための駆動機構の周りに置かれる。
2004524626.tif 000002
【特許請求の範囲】
【請求項１】
複数の製品を販売するための移動式販売機であって、
前記複数の製品を貯蔵するための貯蔵区画、
前記複数の製品を分配するために前記貯蔵区画と組み合わせられた分配機構、及び
駆動機構
を備え、
前記貯蔵区画が、これと共に動くための前記駆動機構の周りに置かれる
移動式販売機。
【請求項２】
前記貯蔵区画が複数の貯蔵列を備える請求項１の移動式販売機。
【請求項３】
前記複数の貯蔵列の各が壁と床とを備える請求項２の移動式販売機。
【請求項４】
前記床が、前記分配機構と共に使用するためのエレベーターポートを備える請求項３の移動式販売機。
【請求項５】
前記エレベーターポートが、支持フランジを囲んでいる複数の開口部を備える請求項４の移動式販売機。
【請求項６】
前記複数の貯蔵列の各が、前記壁及び前記床の中で回転するカラーを備える請求項５の移動式販売機。
【請求項７】
前記カラーがその中に複数の仕切りを備え、前記複数の仕切りが複数の製品区画を構成する請求項６の移動式販売機。
【請求項８】
前記駆動機構が、前記カラーを回転させるようにカラーモーターを備える請求項７の移動式販売機。
【請求項９】
前記分配機構が、前記複数の製品を一度に１個ずつ分配するための取出口を備える請求項８の移動式販売。
【請求項１０】
前記分配機構が、前記複数の製品の前記１個を前記貯蔵区画から前記取出口に輸送するようにエレベーターを備える請求項９の移動式販売機。
【請求項１１】
前記エレベーターが１対のエレベーターアームを備え、前記１対のエレベーターアームが、前記エレベーターポートの前記複数の開口部を通過するように位置決めされる請求項１０の移動式販売機。
【請求項１２】
前記駆動機構が複数の車輪を備える請求項１の移動式販売機。
【請求項１３】
前記駆動機構が、前記複数の車輪の１個又はそれ以上に動力を与えるように駆動モーターを備える請求項１２の移動式販売機。
【請求項１４】
前記駆動機構が電池を備える請求項１３の移動式販売機。
【請求項１５】
前記貯蔵区画、前記分配機構、及び前記駆動機構を制御するための内部制御装置を更に備える請求項１の移動式販売機。
【請求項１６】
遠隔制御装置を更に備え、前記遠隔制御装置が前記駆動機構を制御できるように前記内部制御装置と通信する請求項１５の移動式販売機。
【請求項１７】
遠隔制御装置を更に備え、前記遠隔制御装置が前記貯蔵区画と前記分配機構とを制御できるように前記内部制御装置と通信する請求項１５の移動式販売機。
【請求項１８】
第１のスピーカー及び第１のマイクロフォンを更に備える請求項１５の移動式販売機。
【請求項１９】
第２のスピーカー及び第２のマイクロフォンを更に備え、前記第２のスピーカー及び前記第２のマイクロフォンは、前記第１のスピーカー及び前記第２のマイクロフォンと通信するための前記遠隔制御装置に置かれる請求項１８の移動式販売機。
【請求項２０】
前記貯蔵区画が、広告用表示を上に有する外側シェルを備える請求項１の移動式販売機。
【請求項２１】
販売機から複数の製品を分配するための分配システムであって、
エレベーター、及び
貯蔵列
を具備し、
前記貯蔵列は壁及び床を備え、
前記貯蔵列は前記エレベーターと共に使用するためのエレベーターポートを備え、そして
前記貯蔵列は前記壁及び前記床の中で回転するためのカラーを備え、
前記カラーはその内部の複数の仕切りを備え、前記複数の仕切りは、前記複数の製品を前記エレベーターにより輸送するために前記床に沿って前記エレベーターポートに回転させるための複数の製品区画を備える
分配システム。
【請求項２２】
複数の貯蔵列を更に備える請求項２１の分配システム。
【請求項２３】
前記エレベーターポートが、製品支持フランジを囲んでいる複数の開口部を備える請求項２１の分配システム。
【請求項２４】
前記エレベーターが１対のエレベーターアームを備え、前記１対のエレベーターアームは、前記エレベーターポートの前記複数の開口部を通過しかつ前記複数の製品の１個を取り上げるように置かれる請求項２３の分配システム。
【請求項２５】
前記貯蔵列に隣接して置かれかつ前記エレベーターと通信する製品分配機を更に備える請求項２４の分配システム。
【請求項２６】
前記製品分配機が、その中で回転するように置かれた製品プラッターを備える請求項２５の分配システム。
【請求項２７】
前記製品プラッターが、その中に位置決めされた複数の開口部を備える請求項２６の分配システム。
【請求項２８】
前記複数の開口部の各が、その中に回転可能に位置決めされた製品支持具を備え、前記製品支持具は、前記エレベーターアームが、前記開口部を通過できかつ前記複数の製品の前記１個を支持するような寸法にされる請求項２７の分配システム。
【請求項２９】
前記製品支持具は、前記エレベーターが前記複数の製品の前記１個を前記開口部を通して持ち上げたときに前記製品支持具が上向きに回転し、そして前記複数の製品の前記１個がこれを通過した後に前記製品支持具が下向きに回転するように前記製品プラッターに取り付けられたヒンジを備える請求項２８の分配システム。
【請求項３０】
前記製品分配機が、前記製品プラッターを回転させるようにプラッターモーターを備える請求項２６の分配システム。
【請求項３１】
前記製品分配機が、製品プラッターの頂部に置かれた販売用コーンを備え、前記販売用コーンが透明材料よりなる請求項２６の分配システム。
【請求項３２】
前記貯蔵列の周りに置かれた外側シェルを更に備え、かつ前記外側シェル上に置かれた１個又はそれ以上の貯蔵ラックを更に備える請求項２１の分配システム。
【発明の詳細な説明】
【技術分野】
【０００１】
本発明は、一般に消費者に製品を輸送するための幾つかの方法及び装置に関し、より特別には販売される製品を遠隔の移動技術により消費者に輸送するための幾つかの方法及び装置に関する。
【背景技術】
【０００２】
販売機及びその他の形式の製品分配機に使用は、本技術において良く知られている。かかる製品分配機からの製品の販売量は、部分的には、消費者が十分な交通手段を有する場所に分配機を設置することに依存することが多い。製品分配機の使用は衝動買いであることが多いので、分配機は、十分な数の消費者の集まる場所又は通過する場所に置かれることが好ましい。
【０００３】
現在の多くの製品分配機の一欠点は、分配機を、消費者が集まる場所に常に設置することができないことである。製品を簡単に入手できない多くの場所がある。この入手可能性の欠如は、分配機の大きさ、分配機の外見、電力の入手可能性、或いは美学的な理由によることがある。更に、分配機を一時的に動かすことは、難しいことが多く、及び／又は時間を要する。
【０００４】
分配機の位置に加えて、分配機の外観及び機能は、消費者の目を捕らえ易いように、かつ消費者が愉快な購入の機会を持つように設計すべきである。分配機を交通量の多い区域に置くことができたとしても、分配機は何処にでもあるため、購入経験が「戯れ」であることは殆ど考えられない。そこで、製品分配機は、それ自体の魅力とは対照的に消費者に内部の製品を提供する単なる手段と考えられる。
【０００５】
従って、要求されるものは、消費者が集まるどの場所にも製品分配機を容易に置くことが確保される方法及び装置である。更に、特異性、娯楽性、及び又は魅力があるため衝動買いをさせる製品分配機についての要求がある。これらの目標は、便利、安全でかつ妥当な費用の方法及び装置により達成することができる。
【発明の開示】
【課題を解決するための手段】
【０００６】
このため、本発明は、多数の製品を輸送し販売するための移動式分配機を提供する。移動式分配機は、製品貯蔵用の貯蔵区画、製品販売用の分配機構、及び駆動機構を備える。貯蔵区画は、これと共に動くための駆動機構の周りに置かれる。
【０００７】
移動式販売機の特別な実施例は、多数の貯蔵列を有する貯蔵区画を備える。各貯蔵列は、壁と床とを持つことができる。床は、販売機構と共に使用するエレベーターポートを持つことができる。エレベーターポートは、支持フランジを囲んでいる多数の開口部を持つことができる。各貯蔵列は、壁と床との中で回転するカラーを備えることができる。カラーはその中に多数の仕切りを持ち、この仕切りが多数の製品区画を形成する。カラーモーターがカラーを回転させる。
【０００８】
分配機構は、製品を一度に１個ずつ販売するための取出口を持つことができる。分配機構は、製品の１個を貯蔵区画から取出口に輸送するためにエレベーターも備えることができる。エレベーターは、１対のエレベーターアームを備える。１対のエレベーターアームは、エレベーターポートの開口部を通過するように位置決めされる。
【０００９】
駆動機構は多数の車輪を備えることができる。駆動モーターが車輪を回転させる。駆動機構は電池を備えることができる。
【００１０】
移動式販売機は、貯蔵区画、販売機構、及び駆動機構を制御するための内部制御装置も備えることができる。遠隔制御装置が内部制御装置と通信することもできる。遠隔制御装置は、駆動機構、貯蔵区画、及び販売機構を制御する。移動式販売機は、更に第１のスピーカー及び第１のマイクロフォンを備え、一方、遠隔制御装置は、互いに通信する第２のスピーカー及び第２のマイクロフォンを備える。貯蔵区画は、広告用表示を持った外側シェルを備えることができる。
【００１１】
本発明の更なる実施例は、分配機から多数の製品を販売するための販売システムを提供する。分配機構は、エレベーター及び貯蔵列を備えることができる。貯蔵列は、壁と床とを持つことができる。貯蔵列は、エレベーターと共に使用するエレベーターポートも持つことができる。貯蔵列は、更に壁と床との中で回転するカラーを備える。カラーは、内部に多数の仕切りを持つことができる。この仕切りは、製品を、エレベーターにより輸送するために床に沿ってエレベーターポートに回転させる多数の製品区画を形成することができる。
【００１２】
分配システムは多数の貯蔵列を備える。エレベーターポートは、多数の開口部と製品支持フランジとを備える。エレベーターは、１対のエレベーターアームを備える。エレベーターアームは、エレベーターポートの開口部を通過しかつ製品を１個取り上げるように位置決めされる。
【００１３】
製品分配機は、貯蔵列に隣接して置かれかつエレベーターと連絡する。製品分配機は、内部で回転するように置かれた製品プラッター（ｐｒｏｄｕｃｔ  ｐｌａｔｔｅｒ）を備えることができる。製品プラッターは、内部に置かれた多数の開口部を備える。各開口部は、内部に回転可能に置かれた製品支持具を備えることができる。製品支持具は、エレベーターアームが各開口部を通過できかつ製品を１個支持するような寸法にすることができる。製品支持具は、エレベーターが製品の１個を開口部を通過して持ち上げるときに上向きに回転し、製品がここを通過した後で下向きに回転するように、製品プラッターに取り付けられたヒンジを備えることができる。製品分配機はプラッターを備えることができる。製品分配機は、製品プラッターの頂部に置かれた販売用コーンを備えることができる。販売用コーンは、透明材料より構成することができる。分配用システムは、更に、内部に１個又はそれ以上の貯蔵棚を有する貯蔵列の周りに位置決めされた外側シェルを備えることができる。
【課題を実施するための最良の形態】
【００１４】
さて、全図を通して同様な符号が同様な部品を示している図面を参照すれば、図１−８は、本発明の移動式分配機１００を示す。移動式分配機１００は、多数の製品１０５を貯蔵しかつ販売することができる。製品１０５の各は、例えば、飲料容器１１０とすることができる。しかし、製品１０５は、通常、製品分配機に貯蔵されかつこれから販売し得る適宜形式の品物とすることができる。
【００１５】
移動式分配機１００は、外側シェル１１５を備える。外側シェル１１５は、実質的に中空の円筒状構造とすることができるが、適宜の便利な寸法又は形状を使用することができる。外側シェル１１５は、鋼、アルミニウム、又は同様な金属、ポリカーボネート又はＰＥＴＧ（ポリエチレンテレフタレートグリコール）のような熱可塑性プラスチック、或いは同様な材料より作られることが好ましい。外側シェル１１５は、発泡材料又は同様な材料により断熱されることが好ましい。
【００１６】
アクセス用の蓋１２０が、外側シェル１１５を閉鎖する。アクセス蓋１２０は、ヒンジ、バネ、又はその他の形式の通常の連結機構により、外側シェル１１５に取り付けることができる。アクセス蓋１２０は、内部に製品１０５を装入するために外側シェル１１５の内部に接近できるように取り外し又は開けることができる。アクセス蓋１２０は、外側シェル１１５と同じ材料から作ることができる。或いは、アクセス蓋１２０は、強固な発泡材料又は同様な材料から作られる。アクセス蓋１２０は、好ましくは断熱される。
【００１７】
アクセス蓋１２０は、その中に位置決めされた取出口１３０を持つことができる。取出口１３０は、これを通して１個の製品１０５を販売できるような寸法にされることが好ましい。示されるように、取出口１３０は、ヒンジ、バネ、又はその他の形式の通常の連結機構により取り付けられた販売用の蓋１４０又は同様な形式の閉鎖用構造を持つことができる。販売用の蓋１４０は、希望するならばこれを省くことができる。更に、１個以上の取出口１３０を使うことができる。取出口１３０及び販売用の蓋１４０は、製品１０５を１回に少なくも１個を移動式分配機１００から押し出すことを許し、及び／又は消費者が製品１０５を１個つかむことを許す。移動式分配機１００のアクセス蓋１２０は、この上に位置決めされた多数の通常の選択用パネル１５０及び代金投入口１６０を持つ。或いは、選択用パネル１５０及び代金投入口１６０は、移動式分配機１００上のどこにでも位置決めすることができる。
【００１８】
図１に示されるように、本発明の移動式分配機１００は、装飾的な外観を持つこともできる。例えば、アクセス蓋１２０は野球帽１７０の形で示される。外側シェル１１５は、移動式分配機１００の設置場所に応じ、又は第三者への宣伝として、サングラス１８０、及び移動式分配機１００内に置かれた製品１０５と組み合い得る１個又は複数個の商標又はロゴ１９０を備える。この例においては、ジョージア州アトランタのコカコーラ社のダイナミックリボンデバイス（Ｄｙｎａｍｉｃ  Ｒｉｂｂｏｎ  ｄｅｖｉｃｅ）が、分配機１００の一種の「口」として示される。しかし、外側シェル１１５、アクセス蓋１２０、及び全体としての移動式分配機１００を「擬人化」するために、いかなる形式の美術デザインも使用することができる。更に、装飾的な外見は、色、光、音及びその他の形式のアクセサリーの使用を含むことができる。ここに示された装飾は、いかなる方法における限定も意図するものではない。
【００１９】
図４−６に示されるように、移動式分配機１００は、貯蔵及び持上げシステム２００を備えることができる。貯蔵及び持上げシステム２００は、多数の貯蔵列２１０を備える。この実施例においては、第１の貯蔵列２２０、第２の貯蔵列２３０、及び第３の貯蔵列２４０の３個の貯蔵列２１０が使用される。しかし、任意の数の貯蔵列２１０を使用することができる。貯蔵列２１０は、外側シェル１１５内に適合するように主に円形である。しかし、適宜の便利な寸法又は形状を使うことができる。貯蔵列２１０は、各が内部に中央開口部２１５を形成することができる。この例においては、開口部２１５は大きい円筒形状である。しかし、適宜の寸法又は形状を使うことができる。開口部２１５は、貯蔵列２１０内の製品１０５を冷たく保つために氷で満たすことができる。或いは、移動式分配機１００は、適宜形式の通常の冷却システム又は加温システムを使用することができる。
【００２０】
貯蔵列２１０の各は、固定の床２６０を備えることができる。固定床２６０は、外側シェル１１５の側壁２６５に取り付けられる。床２６０は、エレベーターポート２７０を備える。エレベーターポート２７０は、１対の開口部２８０を備える。開口部２８０は、製品支持フランジ２９０を取り囲む。「１対」の開口部２８０とは、開口部２８０が支持フランジ２９０を囲むことを意味する。開口部２８０は連続し、或いは不連続とすることができる。開口部２８０は、以下、より詳細に説明されるように、エレベーターを収容するような寸法にされる。製品支持フランジ２９０は、製品１０５を１個受け入れて支持するような寸法にされる。製品支持フランジ２９０は回転でき、かつバネ、ヒンジ、又は通常形式の連結用手段により床２６０に取り付けられる。
【００２１】
回転可能な内部カラー３００が、内側壁２６５内で床２６０上に置かれる。回転可能な内部カラー３００は、滑りにより、又はローラー、軸受、又は同様な手段を介して、床２６０に沿って回転する。回転可能な内部カラー３００は、多数の仕切り３１０を備え、この仕切りは多数の製品区画３２０を形成する。図４に示されるように、幾つかの製品を、製品区画３２０内で貯蔵列２１０上に位置決めすることができる。内部カラー３００は、カラーモーター３３０により駆動され、床２６０に沿って回転する。カラーモーター３３０は、約７．４６から約１４９．２ワット（約０．０１から約０．２馬力）の通常の電気モーターとすることができる。カラーモーター３３０は、別形式の通常駆動手段を備えることもできる。製品１０５が区画３２０内に置かれたとき、内部カラー３００の仕切り３１０が製品１０５を強制し、これを床２６０及び内壁２６５に沿って滑らせる。内部制御装置３４０が、モーター３３０の作動を制御する。内部制御装置３４０は、通常のマイクロプロセッサー又は同様な形式の制御装置を備えることができる。
【００２２】
貯蔵及び持上げシステム２００は、エレベーター３５０を備えることができる。エレベーター３５０は長いシャフト３６０を備える。長いシャフト３６０は、ブラケット又は同様な形式の連結機構により、貯蔵列２１０の床２６０の各に固定的に取り付けられる。１対のエレベーターアーム３８０の取り付けられたエレベーターベース３７０が、長いシャフト３６０に取り付けられる。エレベーターベース３７０及びエレベーターアーム３８０は、長いシャフト３６０を上下に移動することができる。エレベーターベース３７０は、フランジ又はその他の形式の案内機構を持ち、これは長いシャフト３６０に取り付けられこれと共に動く。エレベーターベース３７０は、内部の製品１０５と共にエレベーターアーム３８０を支持するに十分な寸法のものである。
【００２３】
エレベーターアーム３８０の各は、ベース３７０に取り付けられた長い真っすぐな部分３９０及び外側シェル１１５の方に伸びている斜めの部分４００を持つ。真っすぐな部分３９０は、本質的に製品１０５の１個の幅である。エレベーターアーム３８０は、長いシャフト３６０を上下に移動しかつ各貯蔵列２１０のエレベーターポート２７０の開口部２８０を通過するような寸法にされる。エレベーターアーム３８０は、支持フランジ２９０上に置かれた１個の製品１０５とアームとが組み合うまで、開口部２８０を通って移動することができる。次いで、エレベーターアーム３８０が、製品１０５を取り上げ、これをエレベーターベース３７０内に支持することができる。エレベーターアーム３８０は、ステンレス鋼又は同様な材料のような実質的に強固な材料で作られる。
【００２４】
エレベーターベース３７０及びエレベーターアーム３８０は、エレベーターモーター４１０により作動されたとき、長いシャフト３６０を昇降することができる。エレベーターモーター４１０は、約７．４６から約１８６．５ワット（約０．０１から約０．２５馬力）の電気モーター、又は同様な形式の駆動機構とすることができる。内部制御装置３４０が電気モーター４１０を制御する。
【００２５】
移動式分配機１００は、更に輸送システム４５０を備える。図３、４、及び７に最も良く示されるように、輸送システム４５０は、典型的な車椅子の輸送システムに基づく。輸送システム４５０は、フレーム４６０を備えることができる。フレーム４６０は、アルミニウム、又は同様な軽量かつ高強度の材料から作られた筒状部材を備える。フレーム４６０の背後に駆動機構４７０が取り付けられる。駆動機構４７０は、フレーム４６０の各側に位置決めされた１対の駆動モーター４８０を備える。フレーム４６０には後輪４９０も取り付けられる。駆動モーター４８０が通常の方法で後輪４９０を駆動する。更に、駆動モーター４８０は、変速機、クラッチ、取付け用ブラケット、及び同様な形式の駆動用構成要素を備える。駆動モーター４８０は、約３７３から約１１１９ワット（約０．５から約１．５馬力）の出力を持つ。１個又は複数個の電池５００が、駆動モーター４８０に電力を供給する。電池５００は、通常の酸−鉛、ニッケル−カドミウム、金属−空気、又は同様な形式の軽量長寿命エネルギー源とすることができる。電池５００は、再充電可能であることが好ましい。
【００２６】
フレーム４６０の前部には、１対の操舵用ブラケット５３０により連結された１対の前輪５２０が取り付けられる。前輪５２０は、通常の設計のものとすることができる。前輪５２０は、通常の方法で操舵用ブラケット５３０に取り付けられる。操舵用ブラケット５３０は、鋼又は同様な強固な材料から作られる。操舵用ブラケット５３０は、通常の方法でフレーム４６０に連結される。車輪５２０は、一般に操舵に関して受動的である。操舵は、後輪４９０の速度を変えることにより提供することができる。例えば、右の後輪４９０の速度を増すことによりフレーム４６０は左に回転するであろう。適宜に通常の操舵機構を使うこともできる。
【００２７】
内部制御装置３４０は、遠隔制御装置５７０と関連して作動することができる。内部制御装置３４０及び遠隔制御装置５７０は、無線周波数信号、赤外線を介し、又はその他の通常の通信手段を介して通信することができる。内部制御装置３４０及び遠隔制御装置５７０は、ケーブル又はその他の形式の直接接続を介しても連絡することができる。遠隔制御装置５７０は、移動式分配機１００を操舵するために、ジョイスティック５７５又は同様な形式の制御機構を持つことができる。遠隔制御装置５７０は、移動式分配機１００の速度、輸送システム４５０のその他の様相、及び貯蔵及び昇降システム２００の作動を制御することができる。
【００２８】
移動式分配機１００は、更に通信システム５８０を備えることができる。移動式分配機１００及び遠隔制御装置５７０の両者は、マイクロフォン５９０及びスピーカー５９５を備えることができる。適宜の通常形式のマイクロフォン５９０及びスピーカー５９５を使用することができる。このため、遠隔制御装置５７０の使用者は、移動式分配機１００が話をしているように見えるように、遠隔制御装置５７０のマイクロフォン５９０に話すことができる。同様に、消費者は、移動式分配機１００のマイクロフォン５９０に話しかけ、スピーカー５９５を介して遠隔制御装置５７０の使用者が言った話を聞くことができる。マイクロフォン５９０及びスピーカー５９５は、アクセス蓋１２０内、又は移動式分配機１００のどこにでもに位置決めすることができる。このため、移動式分配機１００は、消費者と対話することができる。
【００２９】
使用に当たっては、多数の製品１０５が、貯蔵列２１０の製品区画３２０の各に装入される。種々の種類及びフレーバーの製品１０５を各列２１０に差し込むことができる。例えば、普通の炭酸飲料製品１０５を第１の貯蔵列２２０に置き、低カロリー炭酸飲料製品を第２の貯蔵列２３０に置き、更に水製品１０５を第３の貯蔵列２４０に置くことができる。任意数の製品種類を使用することができる。内部の製品１０５を希望の販売時温度にするために、貯蔵列２１０内の開口部２１５を氷で満たし、或いはその他の形式の加温用又は冷却用の装置を使用することができる。
【００３０】
移動式分配機１００は、遠隔制御装置５７０の指令の下で、消費者が集まるであろう如何なる場所にでも移動することができる。例えば、消費者は、アミューズメントパーク、スポーツイベント、コンサート、或いは同様なイベント又はアトラクションにおいて並んで待つことがある。遠隔制御装置５７０の使用者は、移動式分配機１００が消費者の列に沿って動くように輸送システム４５０を制御することができる。遠隔制御装置５７０の使用者は、並んでいる消費者と対話しかつその注意を引くようにマイクロフォン５９０とスピーカー５９０とを使うことができる。
【００３１】
例えば、移動式分配機１００を消費者の正面に停止させることができる。消費者は、代金投入口１６０内に硬貨、クーポン、又は紙幣を置き、次いで選択パネル１５０から選択を行う。選択パネル１５０は、内部制御装置３４０を作動させて、選択パネル１５０における選択に相当する製品１０５のある貯蔵列２１０のカラーモーター３３０のスイッチを入れる。カラーモーター３３０は、製品１０５の１個がエレベーターポート２７０の製品支持フランジ２９０上に位置決めされるまで内部カラー３００を回転させる。次いで、エレベーター３５０が作動させられて、エレベーターアーム３８０が開口部２８０を通って移動し、選択された製品１０５を取り上げる。製品１０５は、取出口１３０及びアクセス蓋１２０の販売用の蓋１４０を通して持ち上げられる。外側貯蔵列２１０の製品支持フランジ２９０は、エレベーター３５０がここを通過するとき上向きに回転する。このとき、消費者は、製品１０５を取出口１３０から取り出すことができる。移動式分配機１００は、消費者の列に沿って続けて移動し、販売過程を繰り返すことができる。
【００３２】
図９−１０は、本発明の更なる実施例、パートナークーラー（ｐａｒｔｎｅｒ  ｃｏｏｌｅｒ）１４００である。パートナークーラー１４００の作動は、制御システム１４０５により制御される。制御システム１４０５は、制御システム３４０と同様とすることができる。パートナークーラーは、移動式分配機１００の貯蔵及び持上げシステム２００の一部又は全てを組み込むことができる。パートナークーラー１４００は、支持ベース１４１０を備える。支持ベース１４１０は、パートナークーラー１４００の全体としての希望寸法により寸法が決められる。支持ベース１４１０は、適宜の通常の材料から作られ、かつ適宜に通常の形に作ることができる。貯蔵及び持上げシステム１４２０が支持ベース１４１０に取り付けられる。貯蔵及び持上げシステム１４２０は、実質的に上述の貯蔵及び持上げシステム２００と同じとすることができる。そこで、貯蔵及び持上げシステム１４２０はエレベーター１４２５を備え、これは、前述のエレベーター３５０と同様にベース１４２６及び１対のアーム１４２７を持つ。
【００３３】
外側シェル１４３０が貯蔵及び持上げシステム１４２０を囲む。外側シェル１４３０は、上述の外側シェル１１５と同様とすることができる。外側シェル１４３０は、鋼、アルミニウム、又は同様な金属、ポリカーボネート又はＰＥＴＧのような熱可塑性プラスチック、或いは同様な材料より作られることが好ましい。外側シェル１４３０は断熱されることが好ましい。外側シェル１４３０上に、１個又は複数個の販売促進用のラック１４４０が置かれる。販売促進用ラック１４４０は、雑誌、書籍及び新聞、菓子類、又は適宜形式の消費者用雑貨或いはその他の品物を保持することができる。販売促進用ラック１４４０は、通常の棚とすることができる。販売促進用ラック１４４０は金属線から作られ、或いは適宜の好都合な種類の材料を使うことができる。任意の都合良い形状を使うこともできる。外側シェル１４３０は、その上に広告用表示を持つこともできる。
【００３４】
貯蔵及び持上げシステム１４２０の頂部に製品分配機１４５０を置くことができる。製品分配機１４５０は、販売機ベース１４６０を備える。販売機ベース１４６０は熱可塑性プラスチック、鋼、又は同様な材料のような適宜の実質的に強固な材料から作ることができる。
【００３５】
販売機ベース１４６０内に製品プラッター１４７０を置くことができる。製品プラッター１４７０は、その中に多数の開口部１４７５を持つことができる。開口部１４７５は、製品１０５を１個受け入れかつエレベーターアーム１４２７がその中を通過するような寸法にされる。各開口部１４７５内に製品支持具１４８０が置かれる。製品支持具１４８０は、製品プラッター１４７０に回転可能に取り付けられる。製品支持具１４８０は、１個の製品１０５を支持しかつ１個の製品１０５が貯蔵及び持上げシステム１４２０から持ち上げることもできるように形成される。製品支持具１４８０は、各開口部１４７５を完全には満たさないことが好ましい。むしろ、エレベーターアーム１４２７がここを通過するに十分な空間を残すことが好ましい。バネ、ヒンジ、又はその他の通常の連結用手段が、製品支持具１４８０を製品プラッター１４７０に連結する。製品プラッター１４７０及び製品支持具１４８０は、熱可塑性プラスチック、鋼、又は同様な材料のような実質的に強固な材料から作られる。
【００３６】
製品プラッター１４７０は、これに置かれた多数のプラッターローラー１４９０も持つことができる。プラッターローラー１４９０は、販売機ベース１４６０内の製品プラッター１４７０の回転を助ける。製品プラッター１４７０は、駆動モーターと変速機との組立体１５００を介して駆動される。駆動モーターと変速機との組立体１５００は、通常の電気モーター１５１０又は同様な形式の駆動装置を備える。製品プラッター１４７０の回転及び駆動モーターと変速機との組立体１５００の作動は、販売機ベース１４６０内に置かれた多数のスイッチ１５２０により制御される。スイッチ１５２０は、通常のポジションスイッチとすることができる。スイッチ１５２０は、製品１０５が各製品支持具１４８０の定位置にあるか否かを示す。スイッチ１５２０の監視、及び駆動モーターと変速機の組立体１５００の作動は、制御システム１４０５により管理することができる。
【００３７】
販売機ベース１４６０は製品コーン１５３０も支持する。製品コーン１５３０は、消費者が、製品支持具１４８０内に位置決めされた製品１０５を観察できるように透明の熱可塑性プラスチックから作られることが好ましい。製品コーン１５３０の頂部に販売用コーン１５４０を置くことができる。販売用コーン１５４０は、熱可塑性プラスチック、又は類似の材料のような実質的に強固な材料から作られる。販売用コーン１５４０は、その中に置かれた開口部１５５０を持つ。開口部１５５０は、これを通して製品１０５を１個取り出し得るような寸法にされる。開口部１５５０は、販売用コーン１５６０により囲まれる。販売用コーン１５６０も、実質的に強固な熱可塑性プラスチック又は類似材料から作られる。販売用コーン１５６０の作動は、販売用ドアスイッチ又は同様な機構により制御することができる。販売用コーン１５６０は、硬貨又は紙幣を代金投入口１５８０に入れることにより作動させられる。代金投入口１５８０は、販売用コーン１５４０上に、又は製品分配機１４５０上のどこにでも位置決めすることができる。販売機ドア１５６０の作動も制御システム１４０５により制御される。
【００３８】
使用時には、駆動モーターと変速機との組立体１５００が、製品分配機１４５０の製品プラッター１４７０を回転させる。消費者がパートナークーラー１４００からの一つの製品１０５を希望する場合は、消費者は、そのとき、又はチェックアウトライン（ｃｈｅｃｈｏｕｔ  ｌｉｎｅ）に製品を取ったときに、製品１０５についての代金を支払うことができる。消費者は、硬貨又は紙幣を代金投入口１５８０内に置き、又は消費者は単に販売用ドア１５６０を開けて一つの製品支持具１４８０から製品１０５を１個取り出すだけである。製品プラッター１４７０の回転は、販売用ドア１５６０が開けられているときは停止する。
【００３９】
製品１０５が一つの製品支持具１４８０から取り出されると、スイッチ１５２０が制御システム１４０５に、製品１０５の取り出されたことの信号を送る。どの種類の製品１０５が取り出されたかを制御システム１４０５が知るために、各製品支持具１４８０は或る一つの特定の製品１０５に専従する。販売用ドア１５６０が閉じられると、制御ステム１４０５が貯蔵及び持上げシステム１４２０を作動させる。空の製品支持具１４８０とエレベーター１４２５とが揃うように、製品プラッター１４７０も回転される。貯蔵及び持上げシステム１４２０のエレベーター１４２５が、貯蔵及び持上げシステム２００に関して上述された方法と殆ど同じ方法で、製品１０５を１個取り上げる。製品１０５が持ち上げられると、製品１０５の頂部が、空の製品支持具１４８０を上向きに回転させる。エレベーター１４２５は、製品支持具１４８０上の製品１０５が無くなるまで、製品１０５を製品プラッター１４７０の上方に持ち上げ販売用コーン１５４０内に入れ続ける。製品支持具１４８０の製品１０５が無くなると、製品支持具１４８０は後向きに揺れて閉鎖する。エレベーター１４２５は方向を逆転し、製品１０５を製品支持具１４８０内に置く。エレベーター１４２５のアーム１４２７が製品支持具１４８０を囲んでいる開口部１４７５を通過する。製品１０５が輸送されると、駆動モーターと変速機との組立体１５００が再び製品プラッター１４７０を回転させる。
【図面の簡単な説明】
【００４０】
【図１】本発明の移動式分配機の斜視図である。
【図２】図１の移動式分配機の平面図である。
【図３】図１の移動式分配機の底視図である。
【図４】図１の移動式分配機の貯蔵及び持上げシステム、並びに駆動システムの斜視図であって、外側シェルは想像線で示されている。
【図５】図１の移動式分配機の貯蔵及び持上げシステムの上方から見た斜視図である。
【図６】図１の移動式分配機の貯蔵及び持上げシステムの下方から見た斜視図である。
【図７】図１の移動式分配機の駆動システムの斜視図である。
【図８】移動式分配機と共に使用する遠隔制御装置の平面図である。
【図９】本発明のパートナークーラーの斜視図である。
【図１０】図９のパートナークーラーの分解図である。
【国際公開パンフレット】
2004524626.tif 000003
2004524626.tif 000004
2004524626.tif 000005
2004524626.tif 000006
2004524626.tif 000007
2004524626.tif 000008
2004524626.tif 000009
2004524626.tif 000010
2004524626.tif 000011
2004524626.tif 000012
2004524626.tif 000013
2004524626.tif 000014
2004524626.tif 000015
2004524626.tif 000016
2004524626.tif 000017
2004524626.tif 000018
2004524626.tif 000019
2004524626.tif 000020
2004524626.tif 000021
2004524626.tif 000022
2004524626.tif 000023
2004524626.tif 000024
2004524626.tif 000025
2004524626.tif 000026
【手続補正書】
【提出日】平成15年8月29日(2003.8.29)
【手続補正１】
【補正対象書類名】特許請求の範囲
【補正対象項目名】全文
【補正方法】変更
【補正の内容】
【特許請求の範囲】
【請求項１】
複数の製品を販売するための移動式販売機であって、
前記複数の製品を貯蔵するための貯蔵区画、
前記複数の製品を販売区域に分配するために前記貯蔵区画と組み合わせられた分配機構、及び
電気駆動機構
を備え、
前記貯蔵区画が、これと共に動くための前記電気駆動機構の周りに置かれる
移動式販売機。
【請求項２】
前記貯蔵区画が複数の貯蔵列を備える請求項１の移動式販売機。
【請求項３】
前記複数の貯蔵列の各が壁と床とを備える請求項２の移動式販売機。
【請求項４】
前記床が、前記分配機構と共に使用するためのエレベーターポートを備える請求項３の移動式販売機。
【請求項５】
前記エレベーターポートが、支持フランジを囲んでいる複数の開口部を備える請求項４の移動式販売機。
【請求項６】
前記複数の貯蔵列の各が、前記壁及び前記床の中で回転するカラーを備える請求項５の移動式販売機。
【請求項７】
前記カラーがその中に複数の仕切りを備え、前記複数の仕切りが複数の製品区画を構成する請求項６の移動式販売機。
【請求項８】
前記分配機構が、前記カラーを回転させるようにカラーモーターを備える請求項７の移動式販売機。
【請求項９】
前記分配機構が、前記複数の製品を一度に１個ずつ分配するための取出口を備える請求項８の移動式販売。
【請求項１０】
前記分配機構が、前記複数の製品の前記１個を前記貯蔵区画から前記取出口に輸送するようにエレベーターを備える請求項９の移動式販売機。
【請求項１１】
前記エレベーターが１対のエレベーターアームを備え、前記１対のエレベーターアームが、前記エレベーターポートの前記複数の開口部を通過するように位置決めされる請求項１０の移動式販売機。
【請求項１２】
前記駆動機構が複数の車輪を備える請求項１の移動式販売機。
【請求項１３】
前記駆動機構が、前記複数の車輪の１個又はそれ以上に動力を与えるように駆動モーターを備える請求項１２の移動式販売機。
【請求項１４】
前記駆動機構が電池を備える請求項１３の移動式販売機。
【請求項１５】
前記貯蔵区画、前記分配機構、及び前記駆動機構を制御するための内部制御装置を更に備える請求項１の移動式販売機。
【請求項１６】
遠隔制御装置を更に備え、前記遠隔制御装置が前記駆動機構を制御できるように前記内部制御装置と通信する請求項１５の移動式販売機。
【請求項１７】
遠隔制御装置を更に備え、前記遠隔制御装置が前記貯蔵区画と前記分配機構とを制御できるように前記内部制御装置と通信する請求項１５の移動式販売機。
【請求項１８】
第１のスピーカー及び第１のマイクロフォンを更に備える請求項１５の移動式販売機。
【請求項１９】
第２のスピーカー及び第２のマイクロフォンを更に備え、前記第２のスピーカー及び前記第２のマイクロフォンは、前記第１のスピーカー及び前記第２のマイクロフォンと通信するための前記遠隔制御装置に置かれる請求項１８の移動式販売機。
【請求項２０】
前記貯蔵区画が、広告用表示を上に有する外側シェルを備える請求項１の移動式販売機。
【請求項２１】
販売機から複数の製品を分配するための分配システムであって、
エレベーター、及び
複数の貯蔵列
を具備し、
前記複数の貯蔵列は壁及び床を備え、
前記複数の貯蔵列は前記エレベーターと共に使用するためのエレベーターポートを備え、そして
前記複数の貯蔵列は前記壁及び前記床の中で回転するためのカラーを備え、
前記カラーはその内部の複数の仕切りを備え、前記複数の仕切りは、前記複数の製品を前記エレベーターにより輸送するために前記床に沿って前記エレベーターポートに回転させるための複数の製品区画を備える
分配システム。
【請求項２２】
複数の貯蔵列を更に備える請求項２１の分配システム。
【請求項２３】
前記エレベーターポートが、製品支持フランジを囲んでいる複数の開口部を備える請求項２１の分配システム。
【請求項２４】
前記エレベーターが１対のエレベーターアームを備え、前記１対のエレベーターアームは、前記エレベーターポートの前記複数の開口部を通過しかつ前記複数の製品の１個を取り上げるように置かれる請求項２３の分配システム。
【請求項２５】
前記貯蔵列に隣接して置かれかつ前記エレベーターと通信する製品分配機を更に備える請求項２４の分配システム。
【請求項２６】
前記製品分配機が、その中で回転するように置かれた製品プラッターを備える請求項２５の分配システム。
【請求項２７】
前記製品プラッターが、その中に位置決めされた複数の開口部を備える請求項２６の分配システム。
【請求項２８】
前記複数の開口部の各が、その中に回転可能に位置決めされた製品支持具を備え、前記製品支持具は、前記エレベーターアームが、前記開口部を通過できかつ前記複数の製品の前記１個を支持するような寸法にされる請求項２７の分配システム。
【請求項２９】
前記製品支持具は、前記エレベーターが前記複数の製品の前記１個を前記開口部を通して持ち上げたときに前記製品支持具が上向きに回転し、そして前記複数の製品の前記１個がこれを通過した後に前記製品支持具が下向きに回転するように前記製品プラッターに取り付けられたヒンジを備える請求項２８の分配システム。
【請求項３０】
前記製品分配機が、前記製品プラッターを回転させるようにプラッターモーターを備える請求項２６の分配システム。
【請求項３１】
前記製品分配機が、製品プラッターの頂部に置かれた販売用コーンを備え、前記販売用コーンが透明材料よりなる請求項２６の分配システム。
【請求項３２】
前記貯蔵列の周りに置かれた外側シェルを更に備え、かつ前記外側シェル上に置かれた１個又はそれ以上の貯蔵ラックを更に備える請求項２１の分配システム。
【国際調査報告】
2004524626.tif 000027
2004524626.tif 000028
2004524626.tif 000029